(57)【要約】      （修正有）【課題】保管されているコンタクトレンズに電磁波を照射することで、コンタクトレンズ自体を電磁波の転写放射体とするコンタクトレンズケース入れを提供する。【解決手段】コンタクトレンズケース入れ１の内側に、約３５テラヘルツの共鳴電磁波放射体２を装着し、当該コンタクトレンズケース入れ１に収納したコンタクトレンズケース３の中に保管されているコンタクトレンズ５に、約３５テラヘルツの共鳴電磁波を、２時間以上照射することで、当該コンタクトレンズ５に当該共鳴電磁波を放射する機能を転写し、ブルーライト障害を軽減できる機能性コンタクトレンズとすることができる。【選択図】図１
0003224595.tif 000002
【実用新案登録請求の範囲】
【請求項１】
コンタクトレンズを保管するコンタクトレンズケースを収納する小物入れで、内側に約３５テラヘルツの共鳴電磁波を放射するシートを貼り付けていることを特徴とするコンタクトレンズケース入れ。
【考案の詳細な説明】
【技術分野】
【０００１】  本考案は、内側に約３５テラヘルツの共鳴電磁波を放射するシートを貼り付けていることを特徴とするコンタクトレンズケース入れで、当該電磁波でコンタクトレンズケースに保管されているコンタクトレンズに、当該電磁波を照射することにより、当該コンタクトレンズ自体を、当該電磁波の転写放射体とすることを特徴とするコンタクトレンズケース入れに関するものである。
【背景技術】
【０００２】  近年、スマートフォンやタブレットやパソコンやテレビの視聴時間が急速に増加し、その液晶や有機ＥＬの画面から発生するブルーライトによる視力障害やストレスが問題となり、ブルーライトをカットするレンズやフィルムが開発されている。【０００３】  また、視力矯正だけでなくドライアイの治療を目的とした使い捨て水和コンタクトレンズも開発されている。
【特許文献１】特表２０１８−５０６５７０
【特許文献２】特開２０１６−００６５０７
【考案の概要】
【考案が解決しようとする課題】
【０００４】  近年、スマートフォンやタブレットやパソコンやテレビの画面から発生されるブルーライトによる視力障害が問題になっている。【０００５】  また、スマートフォンやタブレットやパソコンやテレビの視聴時間が増え、使用が夜間に至ることもあるため、サーカディアンリズム（概日リズム）が乱れ、睡眠不足や体調の乱れといったブルーライトに起因するストレスの増加という問題も出ている。
【課題を解決するための手段】
【０００６】  このような課題を解決するために、本考案者は、約３５テラヘルツの共鳴電磁波を、コンタクトレンズに照射することで、当該コンタクトレンズ自体を、当該共鳴電磁波の転写放射体とし、当該コンタクトレンズ自体が当該共鳴電磁波の発射体となり、当該電磁波を照射される対象物の電子の動きを円滑にしたり、共振作用で水素結合を分断することを見出し、本考案をなすに至った。【０００７】  すなわち、上記課題を解決するために本考案では、コンタクトレンズケース入れの内側に装着した約３５テラヘルツの共鳴電磁波の放射シートから放射される電磁波を、コンタクトレンズケースの中に保管されているコンタクトレンズに放射し、当該コンタクトレンズ自体を当該共鳴電磁波の転写放射体とする。【０００８】  コンタクトレンズ自体を共鳴電磁波の転写放射体とすることで、当該コンタクトレンズから放射される約３５テラヘルツの共鳴電磁波で、当該コンタクトレンズを装着した人の視神経の電子の動きを円滑にすることができる。【０００９】  また当該コンタクトレンズから放射される当該電磁波により、眼球の水晶体や網膜の細胞の細胞水の水素結合を共振作用で分断することができ、その結果、眼球細胞全体を活性化することができる。
【考案の効果】
【００１０】  本考案によれば、効果が明確で、効果の持続性の高い約３５テラヘルツの共鳴電磁波を放射するコンタクトレンズを簡便な方法で提供できる。【００１１】  本考案の、コンタクトレンズケース入れの内側に装着した約３５テラヘルツの共鳴電磁波の放射シートから放射される転写共鳴電磁波で、当該コンタクトレンズケース入れに保管されているコンタクトレンズ自体が、当該共鳴電磁波の転写放射体となり、当該コンタクトレンズから発射される約３５テラヘルツの当該共鳴電磁波で、神経電子の動きを円滑にすることができるとともに、眼球細胞の細胞水の水素結合を共振作用で分断し、眼球細胞全体を活性化することができる。【００１２】  また当該コンタクトレンズから放射される共鳴電磁波の還元作用により、波長が短くエネルギーの大きいブルーライトによる網膜の酸化劣化によるダメージを緩和することができる。【００１３】  また、当該コンタクトレンズから放射される約３５テラヘルツの共鳴電磁波で、ブルーライトの電子の動きを円滑にすることができるため、ブルーライト電磁波に乗っているノイズを軽減することでブルーライトストレスを緩和することができる。
【考案を実施するための形態】
【００１４】  以下、本考案の実施形態について図面を参照しながら詳細に説明する。
図１は、本考案のコンタクトレンズケース入れの作用概念の断面図を示す。
図２は、本考案の機能性コンタクトレンズの作用概念を示す。
【００１５】  図１に示すように、コンタクトレンズケース入れ１の内部に、コンタクトレンズ５を入れたコンタクトレンズケース３を保管し、当該ケース入れ１の内側に装着した共鳴電磁波放射シート２から放射される約３５テラヘルツの共鳴電磁波４を、当該コンタクトレンズ５に照射する。
【００１６】  当該共鳴電磁波４が、２０℃〜５０℃の温度条件下で、２時間以上、コンタクトレンズ５に照射されると、当該コンタクトレンズ５は、当該共鳴電磁波の転写放射体となり、当該コンタクトレンズ５自体が、約３５テラヘルツの転写共鳴電磁波１５を発射する。
【００１７】  図２に示すように、コンタクトレンズ５に、約３５テラヘルツの共鳴電磁波を、２０℃〜５０℃の温度条件下で、２時間以上、コンタクトレンズ５に照射すると、コンタクトレンズ５は、機能性コンタクトレンズ１１になり、当該機能性コンタクトレンズ１１を、眼球１２に装着すると、当該コンタクトレンズ１１から、約３５テラヘルツの転写共鳴電磁波１５が、眼球１２に、放射される。
【００１８】  図２のように、当該機能性コンタクトレンズ１１から放射された転写共鳴電磁波１５は、眼球１２や水晶体１３の細胞水の水素結合を共振作用で分断し、水素陽イオン１７と電子１８を放出し、眼球１２や水晶体１３を活性化し、網膜１４の酸化劣化を還元し、視力を改善する。
【００１９】  また、機能性コンタクトレンズ１１から放射される転写共鳴電磁波１５は、スマートフォンやタブレットやパソコンやテレビのブルーライトの電磁波にのった細かいノイズを軽減することができ、ブルーライトによる健康障害やストレスを軽減できる
【実施例】
【００２０】  いろいろなテストを通して、本考案のコンタクトレンズケース入れに２時間以上保管したコンタクトレンズについて、下記の効果が確認されている。
＊機能性コンタクトレンズを装着すると、従来のコンタクトレンズを装着した際のゴロゴ  ロとした使用感がなくなった。
＊機能性コンタクトレンズを装着して、長時間パソコンを使用しても、夜熟睡できるよう  になった。
＊機能性コンタクトレンズを使い続けることにより、若干視力が改善した。
【産業上の利用可能な分野】
【００２１】  本考案のコンタクトレンズケース入れは、継続使用する常用のコンタクトレンズばかりでなく、使い捨てコンタクトレンズも、ブルーライト障害に対応する機能性コンタクトレンズとすることができる。
【図面の簡単な説明】
【００２２】
【図１】は、本考案のコンタクトレンズケース入れの作用概念の断面図を示す。
【図２】は、本考案の機能性コンタクトレンズの作用概念を示す。
【符号の説明】
【００２３】  １    コンタクトレンズケース入れ
２    共鳴電磁波放射体
３    コンタクトレンズケース
４    共鳴電磁波
５    コンタクトレンズ
１１  機能性コンタクトレンズ
１２  眼球
１３  水晶体
１４  網膜
１５  転写共鳴電磁波
１６  細胞水
１７  水素陽イオン
１８  電子
【図１】
0003224595.tif 000003
【図２】
0003224595.tif 000004